(57)【特許請求の範囲】
【請求項１】
スイッチングレギュレータと直送ラインを具備し、いずれか一方に切り替えて負荷へ交流電力を供給するようにした電源装置において、前記負荷のオン、オフを検出する手段と、この負荷のオン、オフ検出信号に基づき、前記スイッチングレギュレータを停止するための制御を行なうマイコンとを具備し、負荷がオフしているときには、スイッチングレギュレータの動作を停止するようにし、
前記電源装置内のスイッチングレギュレータは、交流電源を整流した直流電力が遮断したときに、代わって直流電力を供給するバッテリを具備した無停電電源装置からなり、
前記負荷のオン、オフを検出する手段における負荷のオフを検出する手段は、負荷に流れる電流を負荷電流検出回路で検出し、この検出電流をマイコンに入力し、負荷電流検出値がゼロの場合、マイコンが負荷のオフを認識する第１の回路と、負荷への電力供給のオン、オフ信号を出力する負荷オン・オフスイッチ回路からのオフ信号（ある時間経過後に負荷がオフする情報を含む）を負荷制御部が認識すると、負荷制御部からマイコンの負荷オン・オフ信号入力端子に対してある時間経過後に負荷がオフすることを通知する第２の回路とで構成されていることを特徴とする省エネルギー電源装置。
【請求項２】
負荷のオン、オフを検出する手段における負荷のオンを検出する手段は、マイコンがスリープ状態になっていない場合、マイコンがある一定間隔で負荷電流検出回路の検出した負荷電流値をマイコンに取得し、取得した負荷電流がゼロでない場合、マイコンが負荷のオンを認識する第１の回路と、負荷への電力供給のオン、オフを出力する負荷オン・オフスイッチ回路からのオン信号を負荷制御部で検出すると、負荷制御部が負荷のオンを認識し、マイコンに通知する第２の回路と、マイコンがスリープ状態にある場合において、負荷電流検出回路の検出した負荷電流値が比較回路に送られ、この比較回路で基準電圧と比較し、基準電圧を超えると、マイコンに割り込み信号を送り、マイコンのスリープが解除されて作動状態となり、負荷電流検出回路から送られた負荷電流をマイコンで取得する第３の回路のいずれか１つ又は２つ以上の組み合わせからなることを特徴とする請求項１記載の省エネルギー電源装置。
【請求項３】
スイッチングレギュレータは、商用電源を直流に変換し、交流を定電圧定周波数制御インバータで発生させる安定化電源装置からなることを特徴とする請求項１記載の省エネルギー電源装置。
【請求項４】
負荷のオン、オフを検出する手段とマイコンとの間は、接点信号やＲＳ２３２Ｃなどの通信線を使用し、負荷がオン又はオフしたことをマイコンで認識できるようにしたことを特徴とする請求項１記載の省エネルギー電源装置。
【発明の詳細な説明】
【技術分野】
【０００１】
本発明は、常時インバータ給電方式の無停電電源装置などのスイッチングレギュレータと直送ラインを具備し、常時はスイッチングレギュレータから負荷へ交流電力を供給し、スイッチングレギュレータが故障などのとき直送ラインに切り替えて負荷へ交流電力を供給するようにした電源装置において、無負荷時にスイッチングレギュレータなどで自己消費されるエネルギーの無駄を可能な限り省くことを可能にした省エネルギー電源装置に関するものである。
【背景技術】
【０００２】
従来の常時インバータ給電方式の無停電電源装置を図２に示す。この図２において、通常動作時には、交流電源１０から供給される交流電圧を力率改善回路５０で直流電圧に変換し、ＤＣ／ＡＣインバータ回路３７がこの直流電圧を交流電圧に変換して負荷６に電力を供給する。出力電圧の変動は、パルス幅変調回路４５によってパルス幅が変調されて安定化された電力を供給する。
停電時は、バッテリ３８の直流電圧を昇圧回路３１で昇圧し、ＤＣ／ＡＣインバータ回路３７で交流電圧に変換して負荷６に安定化された電力を供給する。
力率改善回路５０、昇圧回路３１、ＤＣ／ＡＣインバータ回路３７などの内部のスイッチングレギュレータに障害が発生した場合には、切換え回路１４を直送ライン１に切り替えて交流電源１０から直接負荷６に電力を供給する。
【０００３】
従来のより詳細な回路図を図３に示す（特許文献１）。
この図３において、停電になると、交流出力電圧が正の商用半サイクルに負側のスイッチ素子２６が導通を継続し、正側のスイッチ素子２５がスイッチングするが、正側のスイッチ素子２５がオンのときに、バッテリ３８の直流電力がインダクタンス素子２３、２４に蓄えられ、正側のスイッチ素子２５がオフしたときに蓄えられた電力がコンデンサ２９へ充電される。
逆に、交流出力電圧が負の商用半サイクルに正側のスイッチ素子２５が導通を継続し、負側のスイッチ素子２６がスイッチングするが、負側のスイッチ素子２６がオンのときにバッテリ３８の直流電力がインダクタンス素子２３、２４に蓄えられ、負側のスイッチ素子２６がオフしたときに蓄えられた電力がコンデンサ３０へ充電される。
これらの直流電圧は、ＤＣ／ＡＣインバータ回路３７で交流電圧に変換し、フィルタ回路９６で波形を整形して負荷６に電力を供給する。
【０００４】
このように、正側と負側のスイッチ素子２５と２６のいずれか一方が高周波スイッチングしているときに、スイッチ素子２５と２６のいずれか他方を交流出力電圧の商用半サイクル毎に交互に導通することにより、正方向と負方向の昇圧チョッパ回路３１、３２の正入力ライン４と負入力ライン５との間に、１組のバッテリ３８を、スイッチ素子４８を介して接続することで、正方向と負方向にそれぞれ昇圧して安定化された直流電圧を得ることができる。
【０００５】
この図３に示した回路は、正方向と負方向の昇圧チョッパ回路３１、３２を正方向と負方向の力率改善用アクティブ・フィルタ回路に置き換えた場合の基本回路を示しており、交流入力電圧が商用半サイクル毎に低下したときに、バッテリ３８を放電させないためＳＣＲなどのスイッチ素子４８を用い、停電などで交流電圧が入力されないときにスイッチ素子４８をオンさせることにより、無停電電源装置としての動作をする。
【０００６】
この図３に示した回路において、昇圧チョッパ回路３１、３２、ＤＣ／ＡＣインバータ回路３７等からなるスイッチングレギュレータの内部に障害が発生した場合には、切換え回路１４を直送ライン１に切り替えて交流電源１０から直接負荷６に電力を供給する。
【特許文献１】特許第３３６４０００号公報
【発明の開示】
【発明が解決しようとする課題】
【０００７】
解決しようとする問題点は、従来回路では、負荷６がオフしている状態でも、力率改善回路、昇圧回路、ＤＣ／ＡＣインバータ回路、パルス幅変調回路などの内部のスイッチングレギュレータが動作を続け、安定化された電力を出力しており、それ自身でも電力を消費している。負荷６がオフしている状態では、安定化された出力は必要なく、スイッチングレギュレータは、安定化された電力を無駄に消費している。ちなみに、１ＫＶＡの容量の無停電電源装置において、負荷６がオフしている状態で、安定化された２０〜３０Ｗの電力を無駄に消費している。
本発明は、負荷がオフしている場合、出力安定化のための内部のスイッチングレギュレータをオフして消費電力を可能な限り削減しようとする省エネルギー電源装置を提供することを目的とするものである。
【課題を解決するための手段】
【０００８】
本発明の省エネルギー電源装置は、スイッチングレギュレータと直送ラインを具備し、いずれか一方に切り替えて負荷へ交流電力を供給するようにした電源装置において、前記負荷のオン、オフを検出する手段と、この負荷のオン、オフ検出信号に基づき、前記スイッチングレギュレータを停止するための制御を行なうマイコンとを具備し、負荷がオフしているときには、スイッチングレギュレータの動作を停止するようにしたことを特徴とする。
電源装置内のスイッチングレギュレータは、商用の交流電源を整流した直流電力が遮断したときに、代わって直流電力を供給するバッテリを具備した無停電電源装置を包含することを特徴とする。
【０００９】
負荷のオン、オフを検出する手段における負荷のオフを検出する手段は、負荷に流れる電流を負荷電流検出回路で検出し、この検出電流をマイコンに入力し、負荷電流検出値がゼロの場合、マイコンが負荷のオフを認識する第１の回路と、負荷への電力供給のオン、オフ信号を出力する負荷オン・オフスイッチ回路からのオフ信号（ある時間経過後に負荷がオフする情報を含む）を負荷制御部が認識すると、負荷制御部からマイコンの負荷オン・オフ信号入力端子に対してある時間経過後に負荷がオフすることを通知する第２の回路とで構成されていることを特徴とする。
【００１０】
負荷のオン、オフを検出する手段における負荷のオンを検出する手段は、マイコンがスリープ状態になっていない場合、マイコンがある一定間隔で負荷電流検出回路の検出した負荷電流値をマイコンに取得し、取得した負荷電流がゼロでない場合、マイコンが負荷のオンを認識する第１の回路と、負荷への電力供給のオン、オフを出力する負荷オン・オフスイッチ回路からのオン信号を負荷制御部で検出すると、負荷制御部が負荷のオンを認識し、マイコンに通知する第２の回路と、マイコンがスリープ状態にある場合において、負荷電流検出回路の検出した負荷電流値が比較回路に送られ、この比較回路で基準電圧と比較し、基準電圧を超えると、マイコンに割り込み信号を送り、マイコンのスリープが解除されて作動状態となり、負荷電流検出回路から送られた負荷電流をマイコンで取得する第３の回路のいずれか１つ又は２つ以上の組み合わせからなることを特徴とする。
【発明の効果】
【００１１】
請求項１記載の発明によれば、スイッチングレギュレータと直送ラインを具備し、いずれか一方に切り替えて負荷へ交流電力を供給するようにした電源装置において、前記負荷のオン、オフを検出する手段と、この負荷のオン、オフ検出信号に基づき、前記スイッチングレギュレータを停止するための制御を行なうマイコンとを具備し、負荷がオフしているときには、スイッチングレギュレータの動作を停止するようにしたので、負荷がオフしている間、出力安定化のための内部のスイッチングレギュレータをオフして消費電力を可能な限り削減することができる。
また、電源装置内のスイッチングレギュレータは、交流電源を整流した直流電力が遮断したときに、代わって直流電力を供給するバッテリを具備した無停電電源装置からなるので、交流電源がオフしても負荷がオフしている間、出力安定化のための内部のスイッチングレギュレータをオフしてバッテリの消費電力を可能な限り削減することができる。
さらに、負荷のオン、オフを検出する手段における負荷のオフを検出する手段は、負荷に流れる電流を負荷電流検出回路で検出し、この検出電流をマイコンに入力し、負荷電流検出値がゼロの場合、マイコンが負荷のオフを認識する第１の回路と、負荷への電力供給のオン、オフ信号を出力する負荷オン・オフスイッチ回路からのオフ信号（ある時間経過後に負荷がオフする情報を含む）を負荷制御部が認識すると、負荷制御部からマイコンの負荷オン・オフ信号入力端子に対してある時間経過後に負荷がオフすることを通知する第２の回路とで構成されているので、負荷がオフしたことは、負荷に流れる電流がなくなったことで検出することができ、また、負荷への電力供給を強制的にオフする信号によっても検出でき、更に、両方を作動させればより確実に検出できる。
【００１４】
請求項２記載の発明によれば、負荷のオンを検出する手段は、マイコンがスリープ状態になっていない場合には、負荷電流の有無でも、また、負荷への電力供給を強制的にオンする信号によっても検出でき、さらに、マイコンがスリープ状態にある場合には、負荷電流値が基準電圧と比較され、基準電圧を超えると、マイコンに割り込み信号を送り、マイコンのスリープが解除されて負荷電流をマイコンで取得ことによっても検出することができる。また、３つの回路のいずれか２つ以上を組み合わせて作動させればより確実に検出できる。
【００１５】
請求項３記載の発明によれば、無停電電源装置でなくても、スイッチングレギュレータが商用電源を直流に変換し、交流を定電圧定周波数制御インバータで発生させる安定化電源装置からなるものであっても適用できる。
【００１６】
請求項４記載の発明によれば、負荷のオン、オフを検出する手段とマイコンとの間は、接点信号やＲＳ２３２Ｃなどの通信線を使用し、負荷がオン又はオフしたことをマイコンで認識できる。
【発明を実施するための最良の形態】
【００１７】
本発明は、スイッチングレギュレータと直送ラインを具備し、いずれか一方に切り替えて負荷へ交流電力を供給するようにした電源装置において、前記負荷６のオン、オフを検出する手段と、この負荷６のオン、オフを検出する手段の信号に基づき、前記スイッチングレギュレータを停止するための制御を行なうマイコン４９とを具備し、負荷６がオフしているときには、スイッチングレギュレータの動作を停止して省エネルギーを図ったものである。
【００１８】
負荷６のオン、オフを検出する手段における負荷６のオフを検出する手段は、第１は、負荷６に流れる電流を負荷電流検出回路１３で検出し、この検出電流をマイコン４９に入力し、負荷電流検出値がゼロの場合、マイコン４９は、負荷６がオフしたことを認識する回路からなり、また、第２は、負荷６に、負荷６への電力供給のオン、オフ信号を出力する負荷オン・オフスイッチ回路５６を設け、この負荷オン・オフスイッチ回路５６からのオフ信号を負荷制御部５２が認識すると、この負荷制御部５２は、負荷６がオフする直前にマイコン４９からスイッチングレギュレータへある時間経過後にオフすることを通知する回路からなる。
【００１９】
負荷６のオン、オフを検出する手段における負荷６のオンを検出する手段は、次の３つのうちのいずれかにより行う。２つ以上の組み合わせを同時に行なえば、より精度が高くなる。
第１は、マイコン４９がスリープ状態になっていない場合、マイコン４９は、ある一定間隔、例えば、５００ｍｓｅｃ程度で負荷電流検出回路１３の検出した負荷電流値を、オペアンプ５３を介してＡＤ入力端子６０に取得する。取得した負荷電流がゼロでない場合、マイコン４９は、負荷６がオンしたと認識する回路からなり、第２は、負荷６への電力供給のオン、オフを出力する負荷オン・オフスイッチ回路５６からのオン信号を負荷制御部５２で検出すると、負荷制御部５２は、負荷６がオンしたと認識し、マイコン４９の負荷オン・オフ信号入力端子７０に通知する回路からなり、第３は、マイコン４９がスリープ状態にある場合において、負荷電流検出回路１３の検出した負荷電流値がオペアンプ５３を介して比較回路５４に送られ、この比較回路５４で基準電圧５５と比較し、基準電圧５５を超えると、マイコン４９の割り込み信号入力端子６１に割り込み信号を送り、マイコン４９のスリープが解除されて作動状態となり、負荷電流検出回路１３からオペアンプ５３を介して送られた負荷電流をＡＤ入力端子６０で取得する回路からなる。
【００２０】
電源装置は、商用電源を直流に変換し、交流を定電圧定周波数制御インバータで発生させる安定化電源装置であってもよいし、また、停電時に内蔵するバッテリからの直流を、定電圧定周波数制御インバータで交流に変換して発生させる無停電電源装置であってもよい。
スイッチングレギュレータの具体例として、力率改善回路、昇圧回路及びＤＣ／ＡＣインバータ回路からなるものとする。
【００２１】
前記マイコン４９は、出力電流の変動を検出してパルス幅変調してＤＣ／ＡＣインバータ回路３７を制御し、出力電圧を安定化するパルス幅変調回路４５と、負荷６がオフしていることの検出信号を入力すると、スイッチングレギュレータを停止する信号を出力する機能を具備している。また、直送ラインを有する無停電電源装置の場合には、同時に負荷６をスイッチングレギュレータから直送ライン１に切換え回路１４で切り替える。
【００２２】
負荷６のオン、オフを検出する手段とマイコン４９との間は、接点信号やＲＳ２３２Ｃなどの通信線を使用し、負荷６がオン又はオフしたことをマイコン４９で認識できるようにする。
【実施例１】
【００２３】
本発明による省エネルギー電源装置の実施例１を図１に基づき説明する。
本発明の基本回路は、図３と同様、スイッチングレギュレータと直送ライン１を具備し、通常動作時には、交流電源１０から供給される交流電圧を力率改善回路で直流電圧に変換し、ＤＣ／ＡＣインバータ回路がこの直流電圧を交流電圧に変換して負荷６に電力を供給する。出力電圧の変動は、パルス幅変調回路によってパルス幅が変調されて安定化された電力を供給する。
停電時は、バッテリの直流電圧を昇圧回路で昇圧し、ＤＣ／ＡＣインバータ回路で交流電圧に変換して負荷６に安定化された電力を供給する。力率改善回路、昇圧回路、ＤＣ／ＡＣインバータ回路などの内部のスイッチングレギュレータに障害が発生した場合には、切換え回路１４を直送ライン１に切り替えて交流電源１０から直接負荷６に電力を供給する。
このような電源装置において、交流電源１０の一端が共通ライン１６に結合され、この交流電源１０の他端が正側と負側のダイオード１７、１８のアノードとカソードの接続点に結合される。このダイオード１７，１８の出力側の正入力ライン４と負入力ライン５に、複数個のバッテリを直列に接続した１組のバッテリ３８がスイッチ素子４８を介して接続される。
また、正入力ライン４と負入力ライン５には、力率改善用アクティブ・フィルタ回路等からなるそれぞれ正方向と負方向の力率改善回路５０、５１、インダクタンス素子、スイッチ素子、ダイオード等からなるそれぞれ正方向と負方向の昇圧チョッパ回路３１，３２を介してコンデンサおよびスイッチ素子からなるハーフブリッジ型などのＤＣ／ＡＣインバータ回路３７に接続される。このＤＣ−ＡＣインバータ回路３７には、インダクタンス素子、コンデンサからなり、波形整形するフィルタ回路が内蔵されている。
【００２４】
前記力率改善回路５０、５１，昇圧回路３１，３２，ＤＣ−ＡＣインバータ回路３７には、これらの回路を駆動したり停止したりするためのスイッチ回路６３、６４、６５、６６，７１がそれぞれ設けられている。
【００２５】
前記ＤＣ／ＡＣインバータ回路３７の出力側には、出力電圧検出回路１２を介して切換え回路１４が接続され、この切換え回路１４の一方端にはＤＣ／ＡＣインバータ回路３７の出力側が接続され、他方端には直送ライン１が接続され、共通端には、負荷電流検出回路１３を介して負荷６が接続されている。この負荷６には、負荷６への電源のオン、オフの切り替えのための負荷オン・オフスイッチ回路５６が設けられている。
【００２６】
前記出力電圧検出回路１２は、マイコン４９におけるパルス幅変調回路４５の出力電圧入力端子５７に接続され、このパルス幅変調回路４５の出力電圧制御端子５８は、前記ＤＣ／ＡＣインバータ回路３７に接続され、また、パルス幅変調回路４５の出力電圧制御端子５９は、昇圧回路３１、３２と切換え回路１４に接続されている。
前記負荷電流検出回路１３は、オペアンプ５３に接続され、このオペアンプ５３は、マイコン４９のＡＤ入力端子６０に接続されると共に、比較回路５４の一方端に接続され、この比較回路５４の他方端には、基準電圧５５が接続され、比較回路５４の出力側は、マイコン４９の割り込み信号入力端子６１に接続されている。
前記負荷６の負荷オン・オフスイッチ回路５６は、パソコンの一部で構成される負荷制御部５２に接続され、この負荷制御部５２は、マイコン４９の負荷オン・オフ信号入力端子７０に接続されている。
【００２７】
前記マイコン４９の回路オン・オフ制御信号出力端子６２は、前記スイッチ回路６３、６４、６５、６６，７１に接続され、また、電源入力端子６７とアース端子６８は、バッテリ３８に接続され、停電時の出力端子６９は、スイッチ素子４８の制御端子に接続されている。
【００２８】
以上のような回路構成による動作を説明する。
負荷６が正常に動作している状態では、交流電源１０から供給される交流電圧をダイオード１７、１８、力率改善回路５０、５１で直流電圧に変換すると共に、入力電流を入力電圧と相似形にして力率改善をする。この直流電圧を昇圧回路３１，３２で昇圧してさらにＤＣ／ＡＣインバータ回路３７で直流を交流に変換し、内蔵するフィルタ回路により波形を整形して切換え回路１４を経て負荷６に交流電力を供給する。出力電圧は、出力電圧検出回路１２で検出され、マイコン４９のパルス幅変調回路４５に入力し、パルス幅制御をして昇圧回路３１，３２とＤＣ／ＡＣインバータ回路３７に帰還して出力電圧を一定に制御された安定化電源となる。
【００２９】
ここで、負荷６がオフしている場合、出力安定化のための内部のスイッチングレギュレータをオフして、消費電力を可能な限り削減する作用を説明する。
負荷６がオフしたことは、次の第１回路（１−１）と第２回路（１−２）の２つのいずれかにより行う。（１−１）と（１−２）の両方を同時に行なえば、より精度が高くなる。
（１−１）負荷６に流れる電流を負荷電流検出回路１３で検出し、この検出電流をオペアンプ５３で電圧調整と波形整形をしてマイコン４９のＡＤ入力端子６０に入力する。負荷電流検出値がゼロの場合、マイコン４９は、負荷６がオフしたことを認識する。
（１−２）負荷６の負荷オン・オフスイッチ回路５６は、負荷６への電力供給のオン、オフ信号を出力するので、オフ信号を負荷制御部５２が認識すると、この負荷制御部５２は、負荷６がオフする直前で、ある時間経過後にマイコン４９の負荷オン・オフ信号入力端子７０へオフすることを通知する。
【００３０】
前記（１−１）又は／及び（１−２）の方法により負荷６がオフしたことを認識すると、マイコン４９の出力電圧制御端子５９からの出力信号で、切換え回路１４を直送ライン１側に切り替える。この切り替え完了後、マイコン４９の出力電圧制御端子６２からの信号でスイッチ回路６３、６４、６５、６６，７１に信号を送り、力率改善回路５０、５１，昇圧回路３１，３２、ＤＣ／ＡＣインバータ回路３７の動作を停止する。より多くの消費電力を削減したいときには、マイコン４９自身もスリープ状態にする。
【００３１】
負荷６がオンしたことは、次の第１回路（２−１）、第２回路（２−２）、第３回路（２−３）の３つのうちのいずれかにより行う。２つ以上の組み合わせを同時に行なえば、より精度が高くなる。
（２−１）マイコン４９がスリープ状態になっていない場合、マイコン４９は、ある一定間隔、例えば、５００ｍｓｅｃ程度の間隔で負荷電流検出回路１３の検出した負荷電流値を、オペアンプ５３を介してＡＤ入力端子６０に取得する。取得した負荷電流がゼロでない場合、マイコン４９は、負荷６がオンしたと認識する。
（２−２）負荷６への電力供給のオン、オフを出力する負荷オン・オフスイッチ回路５６からのオン信号を負荷制御部５２で検出すると、負荷制御部５２は、負荷６がオンしたと認識し、マイコン４９の負荷オン・オフ信号入力端子７０に通知する。
（２−３）マイコン４９がスリープ状態にある場合において、負荷電流検出回路１３の検出した負荷電流値がオペアンプ５３を介して比較回路５４に送られる。この比較回路５４で基準電圧５５と比較し、基準電圧５５を超えると、マイコン４９の割り込み信号入力端子６１に割り込み信号が入力し、マイコン４９のスリープが解除されて作動状態となり、負荷電流検出回路１３からオペアンプ５３を介して送られた負荷電流をＡＤ入力端子６０で取得する。このとき、負荷電流値が所定値以上であるから、負荷６がオンしたと認識する。
【００３２】
マイコン４９が負荷６のオンを認識すると、マイコン４９は、回路オン・オフ制御信号出力端子６２からスイッチ回路６３、６４、６５、６６、７１，負荷オン・オフ信号入力端子７０へオン信号を送り、力率改善回路５０、５１，昇圧回路３１，３２、ＤＣ／ＡＣインバータ回路３７等からなるスイッチングレギュレータの動作を開始させる。かつ、マイコン４９からの信号で切換え回路１４をＤＣ／ＡＣインバータ回路３７側に切り替え、安定化された電力を負荷６に供給する。
【００３３】
前記実施例では、電源装置が直送ラインを有し、かつ、バッテリを有する無停電電源装置である場合について説明したが、直送ラインを有するものであれば、無停電電源装置でない電源装置であっても本発明は実施できる。
【図面の簡単な説明】
【００３４】
【図１】本発明による省エネルギー電源装置の一実施例を示す電気回路図である。
【図２】従来の電源装置のブロック図である。
【図３】従来の無停電電源装置の電気回路図である。
【符号の説明】
【００３５】
１…直送ライン、２、３…交流入力端子、４…正入力ライン、５…負入力ライン、６…負荷、７…発振回路、８、９…交流出力端子、１０…交流電源、１２…出力電圧検出回路、１３…負荷電流検出回路、１４…切換え回路、１６…共通ライン、１７、１８…ダイオード、２１…半波整流回路、２３、２４…インダクタンス素子、２５、２６…スイッチ素子、２７、２８…ダイオード、２９、３０…コンデンサ、３１、３２…昇圧回路、３３、３４…スイッチ素子、３５…リアクトル、３６…コンデンサ、３７…ＤＣ／ＡＣインバータ回路、３８…バッテリ、４１、４２…駆動回路、４３、４４…制御回路、４５…パルス幅変調回路、４６、４７…カレントトランス、４８…スイッチ素子、４９…マイコン、５０、５１…力率改善回路、５２…負荷制御部、５３…オペアンプ、５４…比較回路、５５…基準電圧、５６…負荷オン・オフスイッチ回路、５７…出力電圧入力端子、５８、５９…出力電圧制御端子、６０…ＡＤ入力端子、６１…割り込み信号入力端子、６２…回路オン・オフ制御信号出力端子、６３、６４、６５、６６…スイッチ回路、６７…電源入力端子、６８…アース端子、６９…停電時の出力端子、７０…負荷オン・オフ信号入力端子、７１…スイッチ回路、９６…フィルタ回路。
【図１】
0005150364.tif 000002
【図２】
0005150364.tif 000003
【図３】
0005150364.tif 000004